(57)【要約】      （修正有）【課題】倉庫管理業務に使用するノートパソコンを、狭く段差のある倉庫内でもデータ入力と移動が同時に出来るようにして、作業時間の短縮や倉庫の小スペース化を図る。【解決手段】腹部に密着するように真鍮の板を曲げて中心部に蝶つがいと止め具を使用し、その先にノートパソコンなどを載せる専用小型机１８を取り付ける、使用しないときは蝶つがい部２を折り畳める構造にする。長時間の着用時にはＤカンを取り付けてある専用エプロン又は専用の服を着用し、Ｄカンから吊るした紐を便利台ベルト１に取り付け、ロックコネクタ付きベルトを腰に巻くことでしっかり固定されるので歩きながらのパソコン操作も、より安定して出来る。専用小型机１８を取り外しの出来るように蝶つがいをネジ止め構造にしているので、別の専用パーツに付け替えれば、収穫箱・網・釣りの道具・かご・画板など、様々な用途の使い方ができる。【選択図】図１
2005255410.tif 000002
【特許請求の範囲】
【請求項１】
腰に密着するように真鍮の板を体に合わせて丸く曲げ、その中央先端部にネジ止め式の蝶番を取り付ける、蝶番の先に専用小型机を取り付けネジで固定する、ノートパソコンや電子機器を専用小型机の上に載せて使用する、蝶番をネジで取り外しの出来る構造にしているので、色々な用途に合わせて専用小型机を他の専用パーツに変える事も出来る、例えば専用画板を取り付けて写生をしたり、畑では専用収穫箱を取り付けて茶摘や果物の収穫に使える。専用小型机を２重構造のスライド式にすると伸縮自在で様々なサイズのノートパソコンに合わせることができる、さらに、未使用時には畳めばコンパクトサイズ（半分）になるので持ち運びにも便利。
【発明の詳細な説明】
【技術分野】
【０００１】  本発明は、ノートパソコンを載せられる専用小型机などを身体に装着する機能を有する用具である。この機能を活用すれば、両手が自由な状態を維持しながらノートパソコンを持ち運ぶ事が出来る。よって倉庫管理業務などでは在庫の個数をノートパソコンにデータ入力しながら移動できるので作業効率の向上が見込める、また、専用小型机を取り外し、代わりに専用画板を取り付ければ昼休みなどの空き時間に風景画を描くことも出来る、絵描き専用の三脚を設置出来ない足元の不安定な場所でも、風景をスケッチする事が出来る、例えば、足場が狭く不安定な岩場の上などでもスケッチできる。
【背景技術】
【０００２】  倉庫管理において、従来では台車にノートパソコンを載せて持ち運ぶ、又は手でノートパソコンを持ち運び在庫のデータを入力していた。ノートパソコンを持ち運ぶ技術は下記の通りである。
従来技術１→手で持ち運び移動→机などに置く→データ入力→手で持ち運び移動（効率が悪い）。
従来技術２→台車を使って移動→データ入力→移動（段差のある場所又は狭い場所では不便）。
本発明技術→体に装着して移動→データ入力→移動（段差が有り、狭い場所でも効率が良い）。
【発明の開示】
【発明が解決しようとする課題】
【０００３】  倉庫管理業務のデータ入力作業で使用するノートパソコンを台車に載せて倉庫内を移動する場合には、台車が通れる広いスペースと段差の無いフラットな場所が必要だったが、本発明を提供することで、ノートパソコンを操作しながら歩き回れるので、倉庫内が狭い、もしくは段差があっても、データ入力と移動が同時に出来るので倉庫管理業務である棚卸作業（在庫のデータ入力）が楽に出来る、作業時間の短縮や倉庫の小スペース化も出来る、またノートパソコンを載せる専用小型机を別の専用パーツに取り替えることで、画板、収穫箱、釣り竿を固定する腰道具（竿掛け）など様々な利用目的にも使用できる。
【課題を解決するための手段】
【０００４】短時間の着用時には便利台ベルトを単独で使用する。腹部に密着するように真鍮の板を曲げて（曲げることで密着度が増しズレにくく安定感も増す）、中心部に蝶番と止め具を使用し、その先にノートパソコンなどを載せる専用小型机を取り付ける（使用しないときは、蝶番部を折り畳む事でスッキリする）。【０００５】  長時間の着用時には専用エプロン又は専用服と便利台ベルトを使用する。Ｄカンを取り付けてある専用の服や専用エプロンを着用後、Ｄカンから吊るした紐を便利台ベルトに取り付け、腹部の曲線に合わせて密着するように作られた便利台ベルトを腰に巻くことでズレ落ちることのないようにしっかり固定されるので歩きながらのパソコン操作も安定して出来る（両手が自由な状態でノートパソコンの持ち運び、及び、パソコン操作（棚卸作業時などのデータ入力やインターネットを楽しむことが可能）。【０００６】専用小型机を取り外しの出来るように蝶番をネジ止め構造にして、果物を収穫する時には専用収穫箱に取り替えることで収穫した果物を入れることが出来る、さらに、別の専用パーツを使用すれば、網・釣りの道具・かご・画板など、色々な機能を追加できるので、様々な用途の使い方ができる。
【発明の効果】
【０００７】  上述の様に本発明は画板として使えるのは勿論、両手が自由な状態を維持できるのでノートパソコンを専用小型机に載せればパソコン操作しながら歩き回れるし、専用収穫箱に取り替えれば畑では茶摘や果物の収穫など、様々な分野で活用することが出来る。
【発明の実施するための最良の形態】
【０００８】  腹部に密着するように真鍮の板を曲げて、中心部に蝶番と止め具を使用し、その先にノートパソコンなどを載せる専用小型机を取り付けて使用する。さらに、長時間着用する時には専用エプロン、又は、専用の服と併用して使用する。Ｄカンを取り付けてある専用の服やエプロンを着用後、Ｄカンから吊るした紐を便利台ベルトに取り付け、腹部の曲線に合わせて密着するように作られた便利台ベルトを腰に巻くことでズレ落ちることのないようにしっかり固定されるので歩きながらのパソコン操作も安定して出来る。
【実施例】
【０００９】  倉庫管理などでノートパソコンを載せて使用する場合は、便利台ベルトを腰に巻き、蝶番部に専用小型机を取付け、ノートパソコンを載せて使用する（両手が自由な状態でノートパソコンの持ち運び  及び  パソコン操作（棚卸作業時などのデータ入力やインターネットを楽しむことが可能）。【００１０】画板として使用する場合は、便利台ベルトを腰に巻き、蝶番部に専用画板を取り付け、鉛筆と消しゴムなどを使ってスケッチを楽しむ。【００１１】  収穫箱として使用する場合は、便利台ベルトを腰に巻き、蝶番部に専用収穫箱を取り付け、畑などで摘んだ葉を専用収穫箱に入れる。【００１２】  釣竿の腰道具として使用する場合は、便利台ベルトを腰に巻き、蝶番部に釣竿の専用腰道具を取り付け、釣竿を専用腰道具にさして釣りをする。
【図面の簡単な説明】
【００１３】
【図１】本発明、人具一体化用具の実施例を示す正面図である。
【図２】本発明、人具一体化用具から専用小型机を取り外した時の上面図である。
【図３】本発明、人具一体化用具と専用エプロンを着用した時の実施例を示す正面図である。
【図４】本発明、人具一体化用具に、専用小型机と吊紐を取り付けた時の上面図である。
【符号の説明】
【００１４】  １  便利台ベルト
２  ネジ止め式蝶番・ネジ部
３  ネジ止め式蝶番・蝶番部
４  Ｄカン・Ａ
５  Ｄカン・Ｂ
６  ロックコネクタ付きベルト・オス型
７  ロックコネクタ付きベルト・メス型
８  長さ調節部品
９  フック・Ａ
１０  フック・Ｂ
１１  吊紐・Ａ
１２  吊紐・Ｂ
１３  フック・Ｃ
１４  フック・Ｄ
１５  Ｄカン・Ｃ
１６  Ｄカン・Ｄ
１７  専用エプロン
１８  専用小型机
【図１】
2005255410.tif 000003
【図２】
2005255410.tif 000004
【図３】
2005255410.tif 000005
【図４】
2005255410.tif 000006